(57)【要約】【課題】  立ち上がり時間が短く、エネルギー効率が高い気体温度調整装置の提供【解決手段】  エアコン１００の動作について説明する。エアコン１００では、冷房運転時には、一般的なエア・コンディショナと同様に、冷凍サイクルによる冷房運転を行う。一方、エアコン１００では、暖房運転時には、冷凍サイクルにより暖房運転を行わず、赤外線ランプ１１５ａを用いた暖房運転を行う。エアコン１００は、近赤外線を照射し蒸発器１１１を加熱する輻射加熱を利用した暖房運転を行うため、エネルギー効率が高く、暖房能力が高い。【選択図】  図３
2012122654.tif 000002
【特許請求の範囲】
【請求項１】
蒸発器及び送風機を有する室内機、及び凝縮器を有する室外機を有する気体温度調整装置であって、
前記室内機は、
前記蒸発器に近赤外線を放射する近赤外線放射手段、
を有すること、
を特徴とする気体温度調整装置。
【請求項２】
請求項１に係る気体温度調整装置において、
前記蒸発器は、
板状の被加熱板が層上に複数配置されていること、
を特徴とする気体温度調整装置。
【請求項３】
請求項１又は請求項２に係る気体温度調整装置において、
前記近赤外線照射手段は、
照射する前記近赤外線を所定の方向へ照射するための近赤外線照射方向調整手段、
を有すること、
を特徴とする気体温度調整装置。
【請求項４】
請求項３に係る気体温度調整装置において、
前記近赤外線照射方向調整手段は、
前記所定の方向以外の方向へ照射される近赤外線を前記所定の方向へ反射すること、
を特徴とする気体温度調整装置。
【請求項５】
請求項４に係る気体温度調整装置において、
前記近赤外線照射手段は、
所定のガラス面を有する近赤外線ランプであり、
前記近赤外線照射方向調整手段は、
前記ガラス面に施された近赤外線反射処理であること、
を特徴とする気体温度調整装置。
【請求項６】
請求項１〜請求項５に係る気体温度調整装置のいずれかにおいて、
前記蒸発器には、外部から入射する近赤外線の吸収効率を高めるための近赤外線吸収効率改善処理が施されていること、
を特徴とする気体温度調整装置。
【請求項７】
請求項６に係る気体温度調整装置において、
前記近赤外線吸収効率改善処理は、
黒体化加工処理又は灰色化加工処理であること、
を特徴とする気体温度調整装置。
【請求項８】
蒸発器及び送風機を有する室内機、及び凝縮器を有する室外機を有する気体温度調整装置であって、
前記室外機は、
前記凝縮器に近赤外線を放射する近赤外線放射手段、
を有すること、
を特徴とする気体温度調整装置。
【請求項９】
請求項８に係る気体温度調整装置において、
前記凝縮器は、
板状の被加熱板が層上に複数配置されていること、
を特徴とする気体温度調整装置。
【発明の詳細な説明】
【技術分野】
【０００１】
本発明は、気体の温度を調整する気体温度調整装置に関し、特に暖房時の立ち上がり時間が短く、エネルギー効率が高いものに関する。
【背景技術】
【０００２】
従来の気体温度調整装置である空気調和装置について説明する。蒸発器、圧縮機、凝縮器等により形成される冷凍サイクルによるヒートポンプ暖房運転では、使用者の暖房運転の開始指示から温風が吹出口から吹き出るまでに少なからず時間がかかり、その待ち時間は暖房機器として機能していないことになるという問題があった。そこで、導電性を有するように形成されるとともに、室内機本体内に設置され、室内空気を吸込口から吸い込んで吹出口から吹き出すクロスフローファンと、このクロスフローファンの近傍に配置され、高周波数の交流電流が供給される誘導加熱コイルと、を備え、誘導加熱コイルに高周波数の交流電流を供給して、クロスフローファンを回転させながら電磁誘導加熱し、ヒートポンプ暖房運転の準備時間に、電磁誘導加熱されたクロスフローファンの熱伝達により暖められた室内空気を吹出口から吹き出す空気調和装置が考えられている。
【０００３】
この空気調和装置は、暖房運転開始が指示されると、室内制御装置が、導電性を有するクロスフローファンを回転させながら電磁誘導加熱することにより、冷凍サイクルによるヒートポンプ暖房が立ち上がるまでのヒートポンプ暖房運転準備時間に、電磁誘導加熱されたクロスフローファンからの熱伝達により暖められた空気を吹出口から温風として吹き出すことができるので、使用者の暖房運転の開始指示から温風が吹出口から吹き出るまでの時間を短縮することができる（特許文献１）。
【０００４】
また、近年、環境問題は地球規模での課題となっており、ひとつの解決策として省エネルギー化があげられる。また、ＪＩＳの改定によりＡＰＦ（Ａｎｎｕａｌ
Ｐｅｒｆｏｒｍａｎｃｅ Ｆａｃｔｏｒ：通年エネルギー消費効率）の表示も義務付けられており、ＡＰＦ向上の要請が高まっている。空気調和機の省エネルギー技術としては、冷房運転時の圧縮機の消費電力と凝縮器の冷媒を冷却するファンモータの消費電力とを算出して、これらの合計値が最小となるようにファンモータを増減制御することが知られている。
【０００５】
しかしながら、上記技術を、四方弁の切り替えによる暖房運転にそのまま適用した場合、蒸発器の熱交換能力の低下をまねくおそれがある。すなわち、暖房運転時における圧縮機の消費電力と蒸発器の冷媒を加熱する送風ファンの消費電力との合計値は、送風ファンの回転数の減少にともなって低下する。そこで、消費電力抑制のために送風ファン回転数を下げていくと、冷媒の低圧圧力が下がるとともに蒸発温度も下がり、蒸発温度が０℃以下まで下がると蒸発器に霜が附着する。この着霜の結果、大幅な熱交換能力低下を生じる場合がある。
【０００６】
そこで、従来の気体温度調整装置である空気調和機は、圧縮機、四方弁、室外熱交換器、室外膨張弁、及び室外送風ファンを備えた室外機と、室内膨張弁及び室内熱交換器を備えた室内機とを冷媒配管で接続して冷凍サイクルを形成しており、さらに、冷房運転時及び暖房運転のいずれの場合も、制御周期ごとに室外送風ファンの回転数の増減制御を行い、圧縮機及び室外ファンの合計電力を最小にするとともに、暖房運転時には、室外送風ファンの回転数の増減制御の下限値を、室外熱交換器に着霜しない回転数に設定する電力制御手段を有している。
【０００７】
これにより、冷房及び暖房運転の両時において通常運転を行っているときは、室外送風ファンの回転数を増減制御することによって圧縮機及び室外ファンの合計電力の最小化を図っている。その一方で、暖房運転時には、送風ファンの回転数増減制御の下限値を室外熱交換器に着霜しない回転数に設定しているので、着霜による熱交換器の熱交換能力低下を抑制することができる（特許文献２）。
【先行技術文献】
【特許文献】
【０００８】
【特許文献１】特開２０１０−２０３６９９号公報
【０００９】
【特許文献２】特開２００８−２７５２１６号公報
【発明の概要】
【発明が解決しようとする課題】
【００１０】
前述の従来の空気調和装置及び空気調和機には、以下に示すような改善すべき点がある。従来の空気調和装置では、冷凍サイクルによるヒートポンプ暖房が立ち上がるまで時間がかかるため、電磁誘導加熱されたクロスフローファンからの熱伝達により暖められた空気を吹出口から温風として吹き出すことによって、暖房の立ち上がり時間を短縮している。しかし、冷凍サイクルによる暖房が主であるため、エネルギー効率が高くない。よって、ＣＯＰ（Ｃｏｅｆｆｉｃｉｅｎｔ  Ｏｆ  Ｐｅｒｆｏｒｍａｎｃｅ：成績係数）やＡＰＦも高くない、という改善すべき点がある。
【００１１】
そこで、本発明は、立ち上がり時間が短く、エネルギー効率が高い気体温度調整装置の提供を目的とする。
【発明の効果】
【００１２】
本発明における課題を解決するための手段及び発明の効果を以下に示す。
【００１３】
本発明に係る気体温度調整装置は、蒸発器及び送風機を有する室内機、及び凝縮器を有する室外機を有する気体温度調整装置であって、前記室内機は、前記蒸発器に近赤外線を放射する近赤外線放射手段、を有すること、を特徴とする。
【００１４】
これにより、近赤外線を用いて蒸発器を輻射加熱することができる。よって、送風機を用いて、加熱された蒸発器を介して気体を送風することによって、蒸発器及び凝縮器を用いた冷凍サイクルを利用せずとも、暖房運転を行うことができる。近赤外線を用いた輻射加熱はエネルギー効率が高いため、気体温度調整装置全体としてのエネルギー効率を高めることができる。つまり、気体温度調整装置のＣＯＰ、ＡＰＦを改善することができる。
【００１５】
本発明に係る気体温度調整装置では、前記蒸発器は、板状の被加熱板が層上に複数配置されていること、を特徴とする。
【００１６】
板状の被加熱板が層上に複数配置されている蒸発器は、表面積が大きく、また、層間に気体を蓄積することができる。よって、近赤外線による被加熱板の加熱によって加熱された気体を層間に蓄積することができるので、蒸発器を短時間で高温度に加熱することができる。これにより、暖房運転時において短時間での立ち上がりを可能とする。
【００１７】
本発明に係る気体温度調整装置では、前記近赤外線照射手段は、照射する前記近赤外線を所定の方向へ照射するための近赤外線照射方向調整手段、を有すること、を特徴とする。
【００１８】
これにより、近赤外線照射手段が照射する近赤外線を効率よく利用することができる。よって、気体温度調整装置のエネルギー効率を高めることができる。
【００１９】
本発明に係る気体温度調整装置では、前記近赤外線照射方向調整手段は、前記所定の方向以外の方向へ照射される近赤外線を前記所定の方向へ反射すること、を特徴とする。
【００２０】
これにより、簡易な構成で気体温度調整装置のエネルギー効率を高めることができる。
【００２１】
本発明に係る気体温度調整装置では、前記近赤外線照射手段は、所定のガラス面を有する近赤外線ランプであり、前記近赤外線照射方向調整手段は、前記ガラス面に施された近赤外線反射処理であること、を特徴とする。
【００２２】
これにより、簡易な構成で容易に近赤外線を所定の方向へ照射することができる。
【００２３】
本発明に係る気体温度調整装置では、前記蒸発器には、外部から入射する近赤外線の吸収効率を高めるための近赤外線吸収効率改善処理が施されていること、を特徴とする。
【００２４】
これにより、蒸発器をより短時間で加熱することができるため、立ち上がり時間を短縮することができる。また、気体温度調整装置のエネルギー効率を高めることができる。
【００２５】
本発明に係る気体温度調整装置では、前記近赤外線吸収効率改善処理は、黒体化加工処理又は灰色化加工処理であること、を特徴とする。
【００２６】
これにより、容易に蒸発器における近赤外線の吸収効率を高めることができる。
【００２７】
本発明に係る気体温度調整装置は、蒸発器及び送風機を有する室内機、及び凝縮器を有する室外機を有する気体温度調整装置であって、前記室外機は、前記凝縮器に近赤外線を放射する近赤外線放射手段、を有すること、を特徴とする。
【００２８】
これにより、凝縮器１３１における霜取り処理を必要最低限とすることができるため、気体温度調整装置のエネルギー効率を高めることができる。
【００２９】
本発明に係る気体温度調整装置では、前記凝縮器は、板状の被加熱板が層上に複数配置されていること、を特徴とする。
【００３０】
これにより、凝縮器を短時間で高温度に加熱することができるので、短時間での霜取り処理を可能とする。
【図面の簡単な説明】
【００３１】
【図１】本発明に係る気体温度調整装置の一実施例であるエア・コンディショナ１００の構成図である。
【図２】室内機１０１の簡易構成図である。
【図３】図２の平面Ｐ２０１における断面を示す図である。
【図４】室外機１０３の構成図である。
【図５】エアコン１００における近赤外線による暖房原理を示す図である。
【図６】気体温度調整装置のその他の実施例を示す図である。
【図７】気体温度調整装置のその他の実施例を示す図である。
【図８】気体温度調整装置のその他の実施例を示す図である。
【図９】気体温度調整装置のその他の実施例を示す図である。
【発明を実施するための形態】
【００３２】
以下、本発明の実施例について、図面を参照しながら詳細に説明していく。
【実施例１】
【００３３】
第１  全体構成
本発明に係る気体温度調整装置の一実施例である家庭用エア・コンディショナ１００（以下、エアコン１００）について、図１を用いて説明する。エアコン１００は、室内機１０１、室外機１０３、及び冷媒接続配管１０５を有している。室内機１０１は、室内の壁面等に取り付けられる。室外機１０３は、室外に設置される。室内機１０１の蒸発器１１１（後述）及び室外機１０３の凝縮器１３１が冷媒接続配管１０５により接続されることによって、冷媒回路が構成される。所定の冷媒が冷媒回路を循環することによって、冷凍サイクルが形成される。
【００３４】
［１］  室内機１０１の構成
室内機１０１の構成について図２に示す簡易構成図を用いて説明する。室内機１０１は、蒸発器１１１、室内機用送風ファン１１３、近赤外線照射ユニット１１５、及び筐体１１７を有している。
【００３５】
蒸発器１１１は、複数の薄板及び複数の連結管を有している、いわゆるフィン型の熱交換器である。一般的に、蒸発器１１１の薄板は、アルミニウムを用いて形成される。アルミニウムは熱伝導率が高いため、より効率的な熱交換を可能としている。さらに、蒸発器１１１の連結管は、銅を用いて形成される。銅は熱伝導率が高いため、薄板への効率的かつ短時間での熱伝導を可能にしている。
【００３６】
蒸発器１１１には、近赤外線吸収効率改善処理が施されている。ここで、近赤外線吸収効率改善処理とは、外部から入射する近赤外線の吸収効率を高めるための処理をいう。例えば、黒体塗料や灰色塗料による塗装処理をいう。このように、蒸発器１１１に近赤外線吸収効率改善処理を施すことによって、蒸発器１１１は、近赤外線ランプ１１５から照射される近赤外線を効率よく取得することができる。
【００３７】
室内機用送風ファン１１３は、筐体１１７の上部開口ＩＮ１、前部開口（図示せず）を介して室内機１０１の外部から空気を取り込み、蒸発器１１１を通って、排気口ＥＸ１を介して筐体１１７の外部に向かう空気の流れａ２０１、ａ２０３を形成する。これにより、蒸発器１１１によって温度調整された空気が、筐体１１７の外部に送風される。
【００３８】
近赤外線照射ユニット１１５は、蒸発器１１１の長手方向に対して平行に配置されている。図３に図２の平面Ｐ２０１における断面図を示す。近赤外線照射ユニット１１５は、蒸発器１１１と筐体１１９との間に配置される。近赤外線照射ユニット１１５は、近赤外線ランプ１１５ａ及びランプ固定部材１１５ｂを有している。
【００３９】
近赤外線ランプ１１５ａは、蒸発器１１１に対して近赤外線を照射する。赤外線ランプ１１５は、所定形状のガラス面を有しており、ガラス面で囲まれた空間に赤外線を発光するフィラメントが位置している。本実施例においては、赤外線ランプ１１５としては、ハロゲンランプを用いている。
【００４０】
ハロゲンランプは、放射する光の大部分が赤外線であるため、赤外線ランプ１１５として用いるには好適である。また、ハロゲンランプは、近赤外線領域にピーク波長を有する。さらに、ハロゲンランプは、投入電力の８０％〜９０％を赤外線として放射する。このため、近赤外線による被加熱材料を加熱する熱源としてみると、ハロゲンランプは、非常にエネルギー効率が高い熱源となる。
【００４１】
また、近赤外線ランプ１１５は、蒸発器１１１に対して反対側に位置するガラス面の内面に近赤外線を反射する近赤外線反射処理が施された近赤外線反射処理部ｒｆを有している。近赤外線反射処理とは、例えば、所定のガラス面に特殊なセラミック顔料等による塗装処理をいう。
【００４２】
このように、近赤外線ランプ１１５ａが近赤外線反射処理部を有することによって、近赤外線ランプ１１５が四方に照射する近赤外線のうち、蒸発器１１１の方向に照射されない近赤外線を蒸発器１１１の方向に照射することができる。これにより、近赤外線ランプ１１５から照射される近赤外線を効率よく利用することができる。
【００４３】
なお、ランプ固定部材１１５ｂは、近赤外線ランプ１１５を所定の位置に固定するための部材である。ランプ固定部材１１５ｂは、蒸発器１１１の端版（図示せず）に固定されている。また、ランプ固定部材１１５ｂは、近赤外線ランプ１１５ａを取り付けるソケット（図示せず）を有している。
【００４４】
筐体１１７は、上部に上部開口ＩＮ１、前部の上側に前部開口ＩＮ３を有している。また、筐体１１７は、前部の下側に排気口ＥＸ１を有している。
【００４５】
図２に戻って、筐体１１９は、蒸発器１１１、室内機用送風ファン１１３、近赤外線照射ユニット１１５等を内包している。筐体１１９は、ほぼ直方体形状を有している。また、筐体１１９は、プラスチック材料等により構成されている。
【００４６】
なお  図２及び図３においては、近赤外線ランプ１１５ａ等を駆動するための電気配線等の付帯設備については、記載を省略している。
【００４７】
［２］  室外機１０３の構成
室外機１０３の構成について図４に示す簡易構成図を用いて説明する。  室外機１０３は、凝縮器１３１、圧縮機１３３、室外機用送風ファン１３５、アキュームレータ１３７を有している。凝縮器１３１は、複数の薄板及び複数の連結管を有している、いわゆるフィン型の熱交換器である。凝縮器１３１、圧縮機１３３、室外機用送風ファン１３５、アキュームレータ１３７は、所定の運転が可能なように、適宜、接続されている。なお、図４においては、その他の電装品箱、接続配管等については記載を省略している。
【００４８】
第２  エアコン１００の動作
エアコン１００の動作について説明する。エアコン１００では、冷房運転時には、一般的なエア・コンディショナと同様に、冷凍サイクルによる冷房運転を行う。一方、エアコン１００では、暖房運転時には、冷凍サイクルにより暖房運転を行わず、赤外線ランプ１１５ａを用いた暖房運転を行う。以下において、赤外線ランプ１１５ａを用いた暖房運転について説明する。
【００４９】
エアコン１００は、暖房運転の指示を取得すると、赤外線ランプ１１５ａによる近赤外線の照射を開始する。これにより、蒸発器１１１に近赤外線が照射され、蒸発器１１１は加熱される。また、近赤外線の照射開始若しくは照射開始後所定時間経過後に、室内機用送風ファン１１３の動作を開始する。これにより、加熱された蒸発器１１１によって加温された空気を室内に送風することができる。
【００５０】
［１］  暖房原理
最初に、近赤外線を用いた暖房原理について図４を用いて説明する。ａ）被加熱材料に近赤外線を放射する場合、ｂ）被加熱材料に対して照射される近赤外線の振動数と、被加熱材料の分子・原子が有する振動数とが一致すると、ｃ）共振現象が生ずる。この共鳴現象によって、被加熱材料の分子・原子の振動が活性化し、被加熱材料の分子・原子間に摩擦熱が発生する。結果的に、被加熱材料が加熱される。ｄ）流体中に加熱された被加熱材料を配置することによって、被加熱材料と流体との間での熱交換がおこり、流体を加温する。
【００５１】
エアコン１００では、近赤外線を照射する熱源が近赤外線ランプ１１５ａに、被加熱材料が蒸発器１１１に、それぞれ対応する。
【００５２】
［２］  近赤外線ランプ１１５を用いた暖房
近赤外線ランプ１１５は、始動時の立ち上がり時間が短い。このため、被加熱材料である蒸発器１１１を短時間で加熱することができる。よって、冷凍サイクルを用いた暖房運転を行う従来のエア・コンディショナに比して、エアコン１００では、暖房開始までの時間を短くすることができる。
【００５３】
また、従来のエア・コンディショナは、冷凍サイクルにおける冷媒の液化による気化熱の放熱を利用した暖房運転を行うため、暖房能力が高くない。一方、エアコン１００は、近赤外線を照射し蒸発器１１１を加熱する輻射加熱を利用した暖房運転を行うため、エネルギー効率が高く、暖房能力が高い。
【００５４】
さらに、冷凍サイクルを利用した十リアのエア・コンディショナでは、室外機の熱交換器に対する霜取り制御が必要となる。霜取り制御を施している間は実質的に暖房運転を行えないため、暖房能力が落ちる。一方、エアコン１００は、冷凍サイクルを利用しないため、そもそも霜取り制御が不要である。このため、エアコン１００は、暖房能力が落ちることがない。
【００５５】
［３］  蒸発器１１１を用いた暖房
前述のように、蒸発器１１１は、複数の薄板が層状に配置されたフィン型の熱交換器である。このようなフィン型の熱交換器である蒸発器１１１を、近赤外線ランプ１１５による被加熱媒体とすることは、以下の点で有効である。
【００５６】
第一に、複数の薄板が層状に配置されたフィン型の熱交換器である蒸発器１１１は、表面積を大きい。このため、加熱された蒸発器１１１は、より多くの熱量を発することができる。
【００５７】
第二に、蒸発器１１１は、層間に形成される多くの空間を有している。このため、蒸発器１１１は、加熱された空気を薄板間の空間に蓄積することができる。よって、蒸発器１１１全体を一つの加熱体として機能させることができる。このため、より多くの熱量を発することができる。
【００５８】
つまり、エアコン１００における蒸発器１１１は、近赤外線よる被加熱媒体に適した構造を有している。このように、蒸発器１１１が近赤外線による被加熱媒体として好適な構造を有しているとの見地は、発明者による試行錯誤の結果、得られたものである。
【００５９】
第三に、一般的なエア・コンディショナは、既に、複数の薄板が層状に配置されたフィン型の熱交換器である蒸発器１１１及び室内機用送風ファン１１７を有している。したがって、従来のエア・コンディショナの製造過程に近赤外線ランプ１１５を配置する工程を付加し、コントローラによる制御を変更するだけで、容易に近赤外線ランプ１１５を用いた暖房運転を行うことができる。近赤外線ランプ１１５を用いた蒸発器１１１の過熱による暖房運転を行うことによって、エネルギー効率を高めることができる。よって、ＣＯＰ、ＡＰＦの大幅な改善を図ることができる。
【００６０】
［その他の実施例］
［１］近赤外線  ：  前述の実施例１においては、近赤外線を用いて、被加熱物である蒸発器１１１を加熱するとしたが、被加熱物を加熱できるものであれば、例示のものに限定されない。例えば、近赤外線領域以外の赤外線を用いるようにしてもよい。
【００６１】
［２］近赤外線ランプの配置  ：  前述の実施例１においては、近赤外線ランプ１１５ａを蒸発器１１１と筐体１１７との間に配置するとしたが、蒸発器１１１を加熱することができる配置であれば例示のものに限定されない。例えば、図６に示す室内機２０１のように、近赤外線ランプ１１５ａを蒸発器２１１の間に配置するようにしてもよい。この場合、近赤外線ランプ１１５ａのようにガラス面の一部に近赤外線反射処理を施さないようにしてもよい。
【００６２】
また、近赤外線ランプ１１５ａを、蒸発器１１１と室内機用送風ファン１１３との間に配置するようにしもよい。
【００６３】
さらに、図７に示す室内機４０１のように、近赤外線ランプ１１５ａを、蒸発器４１１に設けられた切り欠き部に納まるように配置するようにしてもよい。これにより、近赤外線ランプ１１５ａを蒸発器４１１に近接して配置できるので、よりエネルギー効率を高めることができる。また、近赤外線ランプ１１５ａのうち、近赤外線反射処理ｒｆが施されている部分は切り欠き部の外部に位置するようにすれば、近赤外線ランプ１１５ａが発する赤外線のほぼ全てを蒸発器４１１の加熱に利用できるため、さらにエネルギー効率を高めることができる。
【００６４】
［３］近赤外線の反射  ：  前述の実施例１においては、近赤外線反射処理手段として近赤外線ランプ１１５ａの一部に近赤外線反射処理を施すことによって近赤外線を所定の領域に照射するとしたが、近赤外線を所定の領域に照射できるものであれば例示のものに限定されない。例えば、図８に示すように、所定の位置に反射板ｒｆ２を配置するようにしもよい。図７に示す室内機４０１についても同様である。
【００６５】
［４］凝縮器１３１への近赤外線ランプ１１５ａの配置  ：  前述の実施例１においては、蒸発器１１１に近赤外線を照射する近赤外線ランプ１１５ａを配置するとしたが、図９に示すように、室外機２０３の凝縮器１３１に近赤外線を照射する近赤外線ランプ２３９を配置するようにしてもよい。この場合、凝縮器１３１に近赤外線を照射することができる位置であれば、近赤外線ランプ２３９の配置は例示のものに限定されない。これにより、凝縮器１３１における霜取り処理を必要最低限とすることができるため、エネルギー効率を高め、ひいては暖房効率を高めることができる。
【００６６】
［５］冷暖房用エア・コンディショナへの配置  ：  前述の実施例１においては、エアコン１００は、冷房については冷凍サイクルを利用し、暖房については近赤外線を利用するとしたが、冷房・暖房の両方について冷凍サイクルを利用し、暖房については付加的に近赤外線を利用するようにしてもよい。この場合、冷凍サイクルによる暖房を主、近赤外線を従としてもよく、また、近赤外線による暖房を主、冷凍サイクルによる暖房を従とするようにしてもよい。なお、冷暖房用のエア・コンディショナに必要な四方切換弁等の必要な構成については、適宜、配置すればよい。
【００６７】
［５］蒸発器１１１、凝縮器１３１の構成  ：  前述の実施おいては、蒸発器１１１は、板状の薄板が層上に複数配置されているフィン型の熱交換器としたが、蒸発器として機能できるものであれば、例示のものに限定されない。凝縮器１３１についても、同様である。
【００６８】
［５］蒸発器１１１の近赤外線吸収効率改善処理  ：  前述の実施おいては、蒸発器１１１に近赤外線吸収効率改善処理として黒体化処理又は灰色化処理を施すとしたが、蒸発器１１１における近赤外線の吸収効率を高めることができるものであれば、例示のものに限定されない。例えば、近赤外線の吸収効率が高い材料を用いて、蒸発器１１１を形成するようにしてもよい。
【産業上の利用可能性】
【００６９】
本発明に係る気体温度調整装置は、例えばエア・コンディショナに用いることができる。
【符号の説明】
【００７０】
１００・・・・・エア・コンディショナ
１０１・・・・・室内機
１１１・・・・・蒸発器
１１３・・・・・室内機用送風ファン
１１５・・・・・近赤外線照射ユニット
１１５ａ・・・近赤外線ランプ
ｒｆ・・・近赤外線反射処理領域
１１５ｂ・・・ランプ固定部材
１１７・・・・・筐体
１０３・・・・・室外機
１３１・・・・・凝縮器
１３３・・・・・圧縮機
１３５・・・・・室外機用送風ファン
【図１】
2012122654.tif 000003
【図２】
2012122654.tif 000004
【図３】
2012122654.tif 000005
【図４】
2012122654.tif 000006
【図５】
2012122654.tif 000007
【図６】
2012122654.tif 000008
【図７】
2012122654.tif 000009
【図８】
2012122654.tif 000010
【図９】
2012122654.tif 000011